(57)【要約】【課題】  出店事業者、サイト管理者に負担が少なく、顧客に魅力的なビジネス促進システムを得る。【解決手段】  懸賞の提供者端末６０と、事業者端末１０と、顧客端末３０と、管理サーバ２０とを含む懸賞提供情報を利用したビジネス促進システムで、提供者端末６０からの懸賞入札販売情報を受信し、登録を順次行い、入札懸賞グループ情報として設定し、記憶する入札懸賞グループ登録管理処理手段Ｍ１０１と、事業者端末１０からの入札分担金情報を受信し、その総額が入札懸賞グループ情報の価格を超えた場合、入札懸賞グループ情報内の懸賞の登録指示を行う懸賞グループ入札管理処理手段Ｍ１０２と、懸賞を懸賞提供情報として登録する懸賞提供情報登録処理手段Ｍ１０３と、電子モールサイトへの出店を許可し、出店モールサービスを開始し、予め設定された条件に基づき出店モールサービスの閉店予告、閉店通知、出店終了を行う出店管理処理手段Ｍ１０５とを備える。【選択図】        図１
2006163667.tif 000002
【特許請求の範囲】
【請求項１】
懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進システムであって、
前記管理サーバは、
前記提供者端末からの懸賞入札販売情報を受信し、前記懸賞入札販売情報の登録を順次行い、予め設定された懸賞入札販売情報の受付条件をもって締め切り、登録された懸賞入札販売情報を入札懸賞グループ情報として設定し、記憶する入札懸賞グループ登録管理処理手段と、
前記入札懸賞グループ情報を受取った前記事業者端末からの入札分担金情報を受信し、予め設定された条件で前記事業者端末からの入札を締切り、前記入札分担金情報の総額を計算し、前記総額が前記入札懸賞グループ情報の価格を超えた場合、前記懸賞の提供者端末へ結果を出力し、前記入札懸賞グループ情報内の前記懸賞の登録指示を行う懸賞グループ入札管理処理手段と、
前記懸賞を懸賞提供情報として登録する懸賞提供情報登録処理手段と、
前記事業者端末からの前記電子モールサイトのモール内出店を許可し、出店モールサービスを開始し、予め設定された条件に基づき前記事業者端末への前記出店モールサービスの閉店を予告した後、閉店を通知し、事業者の前記電子モール内への出店終了を行う出店管理処理手段と、
を有することを特徴とする懸賞提供情報を利用したビジネス促進システム。
【請求項２】
懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進システムであって、
前記管理サーバは、
前記提供者端末からの懸賞入札販売情報を受信し、前記懸賞入札販売情報の登録を順次行い、予め設定された懸賞入札販売情報の受付条件をもって締め切り、登録された前記懸賞入札販売情報を入札懸賞グループ情報として設定し、記憶する入札懸賞グループ登録管理処理手段と、
前記入札懸賞グループ情報を受取った前記事業者端末からの入札分担金情報を受信し、予め設定された条件で前記事業者端末からの入札を締切り、前記入札分担金情報の総額を計算し、前記総額が前記入札懸賞グループ情報の価格を超えた場合、前記懸賞の提供者端末へ結果を出力し、前記入札懸賞グループ情報内の前記懸賞の登録指示を行う懸賞グループ入札管理処理手段と、
前記懸賞を前記懸賞提供情報として登録する懸賞提供情報登録処理手段と、
前記顧客端末からの懸賞希望者問合せに応じる懸賞受付窓口サイトを、落札した事業者に割り当てる電子モールサイトへリンク設定するリンク設定管理処理手段と、
前記リンク設定と同時または相前後して、前記事業者端末からの前記電子モールサイトのモール内出店を許可し、出店モールサービスを開始し、前記管理サーバが予め設定された条件に基づき前記事業者端末への前記出店モールサービスの閉店を予告した後、閉店を通知し、前記事業者の前記電子モール内への出店終了を行う出店管理処理手段と、
を有することを特徴とする懸賞提供情報を利用したビジネス促進システム。
【請求項３】
前記管理サーバが、
前記電子モール内への出店終了後又は設定期間ごとに、落札した前記事業者端末に対して、前記電子モールサイト内での顧客端末からのサービス利用成果に応じた電子モールを有する管理サーバへの出店料の支払い請求、及び／又は、落札価格と予め決められた配当条件に基づく、前記入札懸賞グループの提供者端末への情報料の配当通知を出力する料金管理処理手段
を含むことを特徴とする請求項１または２に記載の懸賞提供情報を利用したビジネス促進システム。
【請求項４】
前記懸賞グループ入札管理処理手段が、前記設定された入札懸賞グループ情報を複数の前記事業者端末に提供分担金募集情報として発信する提供分担金募集情報通知手段
を含むことを特徴とする請求項１乃至３のいずれか１項に記載の懸賞提供情報を利用したビジネス促進システム。
【請求項５】
前記入札懸賞グループ登録管理処理手段が、前記懸賞入札販売の受付情報を複数の前記提供者端末へ通知する通知手段
を含むことを特徴とする請求項１乃至４のいずれか１項に記載の懸賞提供情報を利用したビジネス促進システム。
【請求項６】
前記懸賞グループ入札管理処理手段が、前記入札分担金情報の総額が懸賞定価総額を超えた場合に、前記懸賞定価総額からの超過分を入札した前記事業者の分担金負担割合により減額処理を行うことを特徴とする請求項１または２に記載の懸賞提供情報を利用したビジネス促進システム。
【請求項７】
前記リンク設定管理処理手段が、前記電子モールサイトにリンクされる頻度を入札分担金による負担割合により決定することを特徴とする請求項２記載の懸賞提供情報を利用したビジネス促進システム。
【請求項８】
懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進方法であって、
前記管理サーバは、
前記提供者端末からの懸賞入札販売情報を前記電子モールを有する管理サーバが受信するステップと、
前記懸賞入札販売情報を受信後、前記懸賞入札販売情報の登録を順次行い、予め設定された懸賞入札販売情報の受付条件をもって締め切り、登録された懸賞入札販売情報を入札懸賞グループ情報として設定し、記憶するステップと、
前記事業者端末からの前記入札懸賞グループ情報に対する入札分担金情報を受信するステップと、
予め設定された条件で前記事業者端末からの入札を締切り、前記入札分担金情報の総額を計算し、前記総額が前記入札懸賞グループ情報の価格を超えた場合、前記懸賞の提供者端末へ結果を出力し、前記入札懸賞グループ情報内の前記懸賞の登録を指示するステップと、
前記懸賞を懸賞提供情報として登録するステップと、
前記懸賞を懸賞提供情報として登録後、前記事業者端末からの前記電子モールサイトのモール内出店を許可し、出店モールサービスを開始するステップと、
前記管理サーバが予め設定された条件に基づき前記事業者端末への前記出店モールサービスの閉店を予告した後、閉店を通知し、事業者の前記電子モール内への出店終了を行うステップと、
を有することを特徴とする懸賞提供情報を利用したビジネス促進方法。
【請求項９】
懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進方法であって、
前記管理サーバは、
前記提供者端末からの懸賞入札販売情報を前記電子モールを有する管理サーバが受信するステップと、
前記懸賞入札販売情報を受信後、前記懸賞入札販売情報の登録を順次行い、予め設定された懸賞入札販売情報の受付条件をもって締め切り、登録された懸賞入札販売情報を入札懸賞グループ情報として設定し、記憶するステップと、
前記事業者端末からの前記入札懸賞グループ情報に対する入札分担金情報を受信するステップと、
予め設定された条件で前記事業者端末からの入札を締切り、前記入札分担金情報の総額を計算し、前記総額が前記入札懸賞グループ情報の価格を超えた場合、前記懸賞の提供者端末へ結果を出力し、前記入札懸賞グループ情報内の前記懸賞の登録を指示するステップと、
前記懸賞を懸賞提供情報として登録するステップと、
前記顧客端末からの懸賞希望問合せに応じる懸賞受付窓口サイトを、落札した事業者に割り当てる電子モールサイトへリンク設定するステップと、
前記懸賞を懸賞提供情報として登録後、前記事業者端末からの前記電子モールサイトのモール内出店を許可し、出店モールサービスを開始するステップと、
前記管理サーバが予め設定された条件に基づき前記事業者端末への前記出店モールサービスの閉店を予告した後、閉店を通知し、前記事業者の前記電子モール内への出店終了を行うステップと、
を有することを特徴とする懸賞提供情報を利用したビジネス促進方法。
【請求項１０】
前記管理サーバが、
前記電子モール内への出店終了後又は設定期間ごとに、落札した前記事業者端末に対して、前記電子モールサイト内での顧客端末からのサービス利用成果に応じた電子モールを有する管理サーバへの出店料の支払い請求、及び／又は、落札価格と予め決められた配当条件に基づく、前記入札懸賞グループの提供者端末への情報料の配当通知を出力するステップと、
を含むことを特徴とする請求項８または９に記載の懸賞提供情報を利用したビジネス促進方法。
【請求項１１】
前記入札懸賞グループ設定後、前記入札懸賞グループ情報を複数の前記事業者端末に提供分担金募集情報として通知するステップ
を含むことを特徴とする請求項８乃至１０のいずれか１項に記載の懸賞提供情報を利用したビジネス促進方法。
【請求項１２】
前記電子モールを有する管理サーバが、前記懸賞提供情報を受信するステップの前に、懸賞入札販売の受付情報を複数の前記提供者端末へ出力するステップ
を含むことを特徴とする請求項８乃至１１のいずれか１項に記載の懸賞提供情報を利用したビジネス促進方法。
【請求項１３】
予め設定された条件で前記事業者端末からの入札を締切り、前記入札分担金情報の総額を計算し、前記総額が前記入札懸賞グループ情報の価格を超えた場合、前記懸賞の提供者端末へ結果を出力し、前記懸賞の登録を指示するステップにおいて、前記入札分担金情報の総額が懸賞定価総額を超えた場合に、前記懸賞定価総額からの超過分を入札した前記事業者の分担金負担割合により減額処理を行うことを特徴とする請求項８または９に記載の懸賞提供情報を利用したビジネス促進方法。
【請求項１４】
前記顧客端末からの懸賞希望問合せに応じた懸賞受付窓口サイトを落札した前記事業者に割り当てる電子モールサイトへリンク設定するステップが、前記電子モールサイトにリンクされる頻度を入札分担金による負担割合により決定することを特徴とする請求項９記載の懸賞提供情報を利用したビジネス促進方法。
【請求項１５】
懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進システムであって、
前記管理サーバは、
前記提供者端末からの懸賞入札販売情報を受信し、前記事業者端末からの入札分担金情報を受信し、予め設定された条件で前記事業者端末からの入札を締切り、前記入札分担金情報の総額を計算し、前記総額が前記懸賞入札販売情報の価格を超えた場合、前記懸賞の提供者端末へ結果を出力し、前記懸賞の登録指示を行う懸賞入札管理処理手段と、
前記懸賞を懸賞提供情報として登録する懸賞提供情報登録処理手段と、
前記事業者端末からの前記電子モールサイトのモール内出店を許可し、出店モールサービスを開始し、予め設定された条件に基づき前記事業者端末への前記出店モールサービスの閉店を予告した後、閉店を通知し、事業者の前記電子モール内への出店終了を行う出店管理処理手段と、
を有することを特徴とする懸賞提供情報を利用したビジネス促進システム。
【請求項１６】
懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進システムであって、
前記管理サーバは、
前記提供者端末からの懸賞入札販売情報を受信し、前記事業者端末からの入札分担金情報を受信し、予め設定された条件で前記事業者端末からの入札を締切り、前記入札分担金情報の総額を計算し、前記総額が前記懸賞入札販売情報の価格を超えた場合、前記懸賞の提供者端末へ結果を出力し、前記懸賞の登録指示を行う懸賞入札管理処理手段と、
前記懸賞を懸賞提供情報として登録する懸賞提供情報登録処理手段と、
前記顧客端末からの懸賞希望問合せに応じた懸賞受付窓口サイトを、落札した事業者に割り当てる電子モールサイトへリンク設定するリンク設定管理処理手段と、
前記管理サーバが前記リンク設定と同時または相前後して、前記事業者端末からの前記電子モールサイトのモール内出店を許可し、出店モールサービスを開始し、予め設定された条件に基づき前記事業者端末への前記出店モールサービスの閉店を予告した後、閉店を通知し、事業者の前記電子モール内への出店終了を行う出店管理処理手段と、
を有することを特徴とする懸賞提供情報を利用したビジネス促進システム。
【請求項１７】
前記管理サーバが、
前記電子モール内への出店終了後又は設定期間ごとに、落札した前記事業者端末に対して、前記電子モールサイト内での顧客端末からのサービス利用成果に応じた電子モールを有する管理サーバへの出店料の支払い請求、及び／又は、落札価格と予め決められた配当条件に基づく、前記懸賞の提供者端末への情報料の配当通知を出力する料金管理処理手段
を含むことを特徴とする請求項１５または１６に記載の懸賞提供情報を利用したビジネス促進システム。
【請求項１８】
前記懸賞入札管理処理手段が、複数の前記事業者端末に提供分担金募集情報を発信する提供分担金募集情報通知手段
を含むことを特徴とする請求項１５乃至１７のいずれか１項に記載の懸賞提供情報を利用したビジネス促進システム。
【請求項１９】
前記懸賞入札管理処理手段が、前記入札分担金情報の総額が懸賞定価総額を超えた場合に、前記懸賞定価総額からの超過分を入札した前記事業者の分担金負担割合により減額処理を行うことを特徴とする請求項１５または１６に記載の懸賞提供情報を利用したビジネス促進システム。
【請求項２０】
前記リンク設定管理処理手段が、前記電子モールサイトにリンクされる頻度を入札分担金による負担割合により決定することを特徴とする請求項１６記載の懸賞提供情報を利用したビジネス促進システム。
【請求項２１】
懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進方法であって、
前記提供者端末からの懸賞入札販売情報を前記電子モールを有する管理サーバが受信するステップと、
前記事業者端末からの入札分担金情報を前記管理サーバが受信するステップと、
予め設定された条件で前記事業者端末からの入札を締切り、前記入札分担金情報の総額を計算し、前記総額が前記懸賞入札販売情報の価格を超えた場合、前記懸賞の提供者端末へ結果を出力し、前記懸賞の登録を指示するステップと、
前記懸賞を懸賞提供情報として登録するステップと、
前記事業者端末からの前記電子モールサイトのモール内出店を許可し、出店モールサービスを開始するステップと、
前記管理サーバが予め設定された条件に基づき前記事業者端末への前記出店モールサービスの閉店を予告した後、閉店を通知し、事業者の前記電子モール内への出店終了を行うステップと、
を有することを特徴とする懸賞提供情報を利用したビジネス促進方法。
【請求項２２】
懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進方法であって、
前記提供者端末からの懸賞入札販売情報を前記電子モールを有する管理サーバが受信するステップと、
前記事業者端末からの入札分担金情報を前記管理サーバが受信するステップと、
予め設定された条件で前記事業者端末からの入札を締切り、前記入札分担金情報の総額を計算し、前記総額が前記懸賞入札販売情報の価格を超えた場合、前記懸賞の提供者端末へ結果を出力し、前記懸賞の登録を指示するステップと、
前記懸賞を懸賞提供情報として登録するステップと、
前記顧客端末からの懸賞希望問合せに応じた懸賞受付窓口サイトを、落札した事業者に割り当てる電子モールサイトへリンク設定するステップと、
前記管理サーバが前記リンク設定または相前後して、前記事業者端末からの前記電子モールサイトのモール内出店を許可し、出店モールサービスを開始するステップと、
前記管理サーバが予め設定された条件に基づき前記事業者端末への前記出店モールサービスの閉店を予告した後、閉店を通知し、事業者の前記電子モール内への出店終了を行うステップと、
を有することを特徴とする懸賞提供情報を利用したビジネス促進方法。
【請求項２３】
前記管理サーバが、
前記電子モール内への出店終了後又は設定期間ごとに、落札した前記事業者端末に対して、前記電子モールサイト内での顧客端末からのサービス利用成果に応じた電子モールを有する管理サーバへの出店料の支払い請求、及び／又は、落札価格と予め決められた配当条件に基づく、前記懸賞の提供者端末への情報料の配当通知を出力するステップと、
を含むことを特徴とする請求項２１または２２に記載の懸賞提供情報を利用したビジネス促進方法。
【請求項２４】
前記懸賞入札販売情報を前記電子モールを有する管理サーバが受信後、前記懸賞入札販売情報を複数の前記事業者端末に提供分担金募集情報として通知するステップ
を含むことを特徴とする請求項２１乃至２３のいずれか１項に記載の懸賞提供情報を利用したビジネス促進方法。
【請求項２５】
予め設定された条件で前記事業者端末からの入札を締切り、前記入札分担金情報の総額を計算し、前記総額が前記懸賞入札販売情報の価格を超えた場合、前記懸賞の提供者端末へ結果を出力し、前記懸賞の登録を指示するステップにおいて、前記入札分担金情報の総額が懸賞定価総額を超えた場合に、前記懸賞定価総額からの超過分を入札した前記事業者の分担金負担割合により減額処理を行うことを特徴とする請求項２１または２２に記載の懸賞提供情報を利用したビジネス促進方法。
【請求項２６】
前記顧客端末からの懸賞希望問合せに応じた懸賞受付窓口サイトを落札した前記事業者に割り当てる電子モールサイトへリンク設定するステップが、前記電子モールにリンクされる頻度を入札分担金による負担割合により決定することを特徴とする請求項２３記載の懸賞提供情報を利用したビジネス促進方法。
【発明の詳細な説明】
【技術分野】
【０００１】
この発明は、景品、サービス等の懸賞の提供情報を利用したビジネス促進システム及びその方法に関する。
【背景技術】
【０００２】
従来、ウェブサイトへのアクセス促進にゲーム等を利用したものは見られる。例えば、ウェブホームページのメニュー閲覧、提供商品、及び提供情報の販売促進効果を上げるものとして、会員（消費者）によるウェブホームページのメニュー閲覧、商品購入、及び情報提供に一定または重み付けしたポイントを付与し、さらにこのポイントをスロットマシン、トランプなどのゲームをもって、増加または減点して付与する方法、及びそのための通信システムの技術が開示されている（特許文献１参照）。
【０００３】
また、顧客が、携帯電話を用いてキャンペーンサイトにアクセスし、店舗コードと自己のメールアドレスを入力すると、キャンペーンサイトでは、当選くじ付きゲームが実行され当選メールが当選者に送信される。これによって、顧客の電子メールアドレスと店舗コードを対応付けた情報が蓄積される。利用者から電子メールアドレスを収集し、データベース化する顧客管理システムの開示もある（特許文献２参照）。
【特許文献１】特開２００１−２４３３７６号公報（第１頁  要約及び選択図）
【特許文献２】特開２００３−６４２０号公報（第１頁  要約及び選択図）
【発明の開示】
【発明が解決しようとする課題】
【０００４】
しかしながら、上記の従来のものにあっては、ゲームなどのアクセス吸引力を活用してアクセス・購入などの促進を図る以上のものではない。また、サイト管理者すなわち電子モールを有する管理サーバの管理者または出店事業者がそのサイトを自らの負担で運営している。
【０００５】
本発明は、出店事業者にもサイト管理者にも負担が合理的であり、顧客に魅力的なビジネス促進システム及びその方法を提供することを課題とする。
【課題を解決するための手段】
【０００６】
上記課題を解決するため、本発明では、以下のような手段をとる。なお、以下に記載するコンピュータシステムは、複数のコンピュータ、及び、それらのコンピュータ間をつなぐネットワークを含むものである。
【０００７】
懸賞とは、あるものを募り、また人や物を探すために掛けられた商品、サービスや賞金をいう。さらに、懸賞提供情報とは、商品又はサービス等の提供情報を示す。具体的には、商品又はサービス等の内容、利用期限、数量、場合により写真等を示す商品明細を含む。
【０００８】
電子モールは、電子商店が軒を連ねる出店可能なウェブサイトをいう。モールビジネスとは、電子モール（ウェブサイトショッピングモール）を活用するビジネスをいう。
【０００９】
管理サーバは、電子モールの管理者が直接または間接に管理可能なサーバをいい、１つのサーバで構成される場合のみならず、各処理手段、各データベースの機能をいくつかのサーバに分散して持たせることも可能であり、後者の場合においては、これらのサーバの集合したものを管理サーバと呼ぶ。
【００１０】
予め設定された条件とは、設定時間経過、懸賞在庫の終了、ページビュウのカウント数（ＰＶＣ）、バナーのクリックのカウント数（ＢＣＣ）、のいずれか１つまたは複数の条件をいう。
【００１１】
電子モールサイト内での閲覧及び懸賞提供情報問合せの利用には、閲覧、問合せのみならず、その後の、懸賞への参加、商品またはサービスの購入、視聴、例えば、アンケート回答等のマーケティング参加を含む。
【００１２】
事業者端末は、事業者が直接または間接に管理可能な携帯端末，携帯電話をも含むコンピュータ端末である。
【００１３】
顧客端末は、顧客が直接または間接に管理可能な携帯端末，携帯電話をも含むコンピュータ端末である。
【００１４】
出店とは、電子モール内にウェブサイトを設けたり、ウェブサイトにバナー広告を貼り付けることである。
【００１５】
請求項１記載の発明は、懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進システムであって、管理サーバは、提供者端末からの懸賞入札販売情報を受信し、懸賞入札販売情報の登録を順次行い、予め設定された懸賞入札販売情報の受付条件をもって締め切り、登録された懸賞入札販売情報を入札懸賞グループ情報として設定し、記憶する入札懸賞グループ登録管理処理手段と、入札懸賞グループ情報を受取った事業者端末からの入札分担金情報を受信し、予め設定された条件で事業者端末からの入札を締切り、入札分担金情報の総額を計算し、総額が入札懸賞グループ情報の価格を超えた場合、懸賞の提供者端末へ結果を出力し、入札懸賞グループ情報内の懸賞の登録指示を行う懸賞グループ入札管理処理手段と、懸賞を懸賞提供情報として登録する懸賞提供情報登録処理手段と、事業者端末からの電子モールサイトのモール内出店を許可し、出店モールサービスを開始し、予め設定された条件に基づき事業者端末への出店モールサービスの閉店を予告した後、閉店を通知し、事業者の電子モール内への出店終了を行う出店管理処理手段と、を有することを特徴とする。
【００１６】
これによって、提供者端末から入力された懸賞入札販売情報を管理サーバが受信し、順次登録して入札懸賞グループ情報として設定、登録する。そして、管理サーバは、入札懸賞グループ情報に応じた１又は複数の事業者端末からの入札分担金情報を予め設定された条件で受信できる。その後、管理サーバは事業者端末からの電子モール内での出店を許可し、出店モールサービスを開始でき、事業者によって予め設定された条件に到達すると、閉店を予告し、その後、閉店を通知し、出店終了とすることができる。このため、出店事業者にもサイト管理者にも負担が合理的であり、顧客に魅力的なビジネス促進システムを実現できる。
【００１７】
請求項２記載の発明は、懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進システムであって、管理サーバは、提供者端末からの懸賞入札販売情報を受信し、懸賞入札販売情報の登録を順次行い、予め設定された懸賞入札販売情報の受付条件をもって締め切り、登録された懸賞入札販売情報を入札懸賞グループ情報として設定し、記憶する入札懸賞グループ登録管理処理手段と、入札懸賞グループ情報を受取った事業者端末からの入札分担金情報を受信し、予め設定された条件で事業者端末からの入札を締切り、入札分担金情報の総額を計算し、総額が入札懸賞グループ情報の価格を超えた場合、懸賞の提供者端末へ結果を出力し、入札懸賞グループ情報内の懸賞の登録指示を行う懸賞グループ入札管理処理手段と、懸賞を懸賞提供情報として登録する懸賞提供情報登録処理手段と、顧客端末からの懸賞希望者問合せに応じる懸賞受付窓口サイトを、落札した事業者に割り当てる電子モールサイトへリンク設定するリンク設定管理処理手段と、リンク設定と同時または相前後して、事業者端末からの電子モールサイトのモール内出店を許可し、出店モールサービスを開始し、管理サーバが予め設定された条件に基づき事業者端末への出店モールサービスの閉店を予告した後、閉店を通知し、事業者の電子モール内への出店終了を行う出店管理処理手段と、を有することを特徴とする。
【００１８】
これによって、提供者端末から入力された懸賞入札販売情報を管理サーバが受信し、順次登録して入札懸賞グループ情報として設定、登録する。そして、管理サーバは、入札懸賞グループ情報に応じた１又は複数の事業者端末からの入札分担金情報を予め設定された条件で受信でき、顧客端末からの懸賞希望者問合せに応じる懸賞受付窓口サイトを、落札した事業者に割り当てる電子モールサイトへリンク設定する。リンク設定と同時または相前後して、管理サーバは事業者端末からの電子モール内での出店を許可し、出店モールサービスを開始でき、事業者によって予め設定された条件に到達すると、閉店を予告し、その後、閉店を通知し、出店終了とすることができる。このため、出店事業者にもサイト管理者にも負担が合理的であり、顧客に魅力的なビジネス促進システムを実現できる。
【００１９】
請求項３記載の発明は、管理サーバが、電子モール内への出店終了後又は設定期間ごとに、落札した事業者端末に対して、電子モールサイト内での顧客端末からのサービス利用成果に応じた電子モールを有する管理サーバへの出店料の支払い請求、及び／又は、落札価格と予め決められた配当条件に基づく、入札懸賞グループの提供者端末への情報料の配当通知を出力する料金管理処理手段を含むことを特徴とする。
【００２０】
これによって、請求項１または請求項２に記載の発明に料金管理を行う手段を追加することで、管理サーバは事業者端末に対し、顧客端末からのサービス利用成果に応じた料金の支払いを請求することができ、及び／又は、懸賞の提供者端末に対し、落札価格と予め決められた配当条件に基づく情報料の配当を通知することができる。このため、出店事業者にもサイト管理者にも負担が合理的であり、顧客に魅力的なビジネス促進システムを実現できる。
【００２１】
請求項４記載の発明は、懸賞グループ入札管理処理手段が、設定された入札懸賞グループ情報を複数の事業者端末に提供分担金募集情報として発信する提供分担金募集情報通知手段を含むことを特徴とする。
【００２２】
これによって、懸賞グループ入札管理処理手段は、設定された入札懸賞グループ情報を複数の事業者端末に提供分担金募集情報として発信することができ、事業者端末はこれに応じるか否かを選択できる。このため、出店事業者にもサイト管理者にも負担が合理的であり、顧客に魅力的なビジネス促進システムを実現できる。
【００２３】
請求項５記載の発明は、入札懸賞グループ登録管理処理手段が、懸賞入札販売の受付情報を複数の提供者端末へ通知する通知手段を含むことを特徴とする。
【００２４】
これによって、入札懸賞グループ登録管理処理手段が受付情報を提供者端末に通知するため、提供者端末は確実に管理サーバに懸賞入札販売情報が送信されたことを確認できる。このため、出店事業者にもサイト管理者にも負担が合理的であり、顧客に魅力的なビジネス促進システムを実現できる。
【００２５】
請求項６記載の発明は、懸賞グループ入札管理処理手段が、入札分担金情報の総額が懸賞定価総額を超えた場合に、懸賞定価総額からの超過分を入札した事業者の分担金負担割合により減額処理を行うことを特徴とする。
【００２６】
これによって、懸賞グループ入札管理処理手段が、入札分担金情報の総額が懸賞定価総額を超えた場合に、懸賞定価総額からの超過分を入札した事業者の分担金負担割合により減額処理を行うことができる。このため、出店事業者にもサイト管理者にも負担が合理的であり、顧客に魅力的なビジネス促進システムを実現できる。
【００２７】
請求項７記載の発明は、リンク設定管理処理手段が、電子モールサイトにリンクされる頻度を入札分担金による負担割合により決定することを特徴とする。
【００２８】
これによって、リンク設定管理処理手段は、顧客端末からの懸賞希望者問合せに応じる懸賞受付窓口サイトを、落札した事業者に割り当てる電子モールサイトにリンクされる頻度を、事業者が負担する入札分担金の負担割合により決定することができる。このため、出店事業者にもサイト管理者にも負担が合理的であり、顧客に魅力的なビジネス促進システムを実現できる。
【００２９】
請求項８記載の発明は、懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進方法であって、管理サーバは、提供者端末からの懸賞入札販売情報を電子モールを有する管理サーバが受信するステップと、懸賞入札販売情報を受信後、懸賞入札販売情報の登録を順次行い、予め設定された懸賞入札販売情報の受付条件をもって締め切り、登録された懸賞入札販売情報を入札懸賞グループ情報として設定し、記憶するステップと、事業者端末からの入札懸賞グループ情報に対する入札分担金情報を受信するステップと、予め設定された条件で事業者端末からの入札を締切り、入札分担金情報の総額を計算し、総額が入札懸賞グループ情報の価格を超えた場合、懸賞の提供者端末へ結果を出力し、入札懸賞グループ情報内の懸賞の登録を指示するステップと、懸賞を懸賞提供情報として登録するステップと、懸賞を懸賞提供情報として登録後、事業者端末からの電子モールサイトのモール内出店を許可し、出店モールサービスを開始するステップと、管理サーバが予め設定された条件に基づき事業者端末への出店モールサービスの閉店を予告した後、閉店を通知し、事業者の電子モール内への出店終了を行うステップと、を有することを特徴とする。
【００３０】
これによって、提供者端末から入力された懸賞入札販売情報を管理サーバが受信し、順次登録して入札懸賞グループ情報として設定、登録する。そして、管理サーバは、入札懸賞グループ情報に応じた１又は複数の事業者端末からの入札分担金情報を予め設定された条件で受信できる。その後、管理サーバは事業者端末からの電子モール内での出店を許可し、出店モールサービスを開始でき、事業者によって予め設定された条件に到達すると、閉店を予告し、その後、閉店を通知し、出店終了とすることができる。このため、出店事業者にもサイト管理者にも負担が合理的であり、顧客に魅力的なビジネス促進方法を実現できる。
【００３１】
請求項９記載の発明は、懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進方法であって、管理サーバは、提供者端末からの懸賞入札販売情報を電子モールを有する管理サーバが受信するステップと、懸賞入札販売情報を受信後、懸賞入札販売情報の登録を順次行い、予め設定された懸賞入札販売情報の受付条件をもって締め切り、登録された懸賞入札販売情報を入札懸賞グループ情報として設定し、記憶するステップと、事業者端末からの入札懸賞グループ情報に対する入札分担金情報を受信するステップと、予め設定された条件で事業者端末からの入札を締切り、入札分担金情報の総額を計算し、総額が入札懸賞グループ情報の価格を超えた場合、懸賞の提供者端末へ結果を出力し、入札懸賞グループ情報内の懸賞の登録を指示するステップと、懸賞を懸賞提供情報として登録するステップと、顧客端末からの懸賞希望問合せに応じる懸賞受付窓口サイトを、落札した事業者に割り当てる電子モールサイトへリンク設定するステップと、懸賞を懸賞提供情報として登録後、事業者端末からの電子モールサイトのモール内出店を許可し、出店モールサービスを開始するステップと、管理サーバが予め設定された条件に基づき事業者端末への出店モールサービスの閉店を予告した後、閉店を通知し、事業者の電子モール内への出店終了を行うステップと、を有することを特徴とする。
【００３２】
これによって、提供者端末から入力された懸賞入札販売情報を管理サーバは受信し、順次登録して入札懸賞グループ情報として設定、登録する。そして、管理サーバは、入札懸賞グループ情報に応じた１又は複数の事業者端末からの入札分担金情報を予め設定された条件で受信でき、顧客端末からの懸賞希望者問合せに応じる懸賞受付窓口サイトを、落札した事業者に割り当てる電子モールサイトへリンク設定する。リンク設定と同時または相前後して、管理サーバは事業者端末からの電子モール内での出店を許可し、出店モールサービスを開始でき、事業者によって予め設定された条件に到達すると、閉店を予告し、その後、閉店を通知し、出店終了とすることができる。このため、出店事業者にもサイト管理者にも負担が合理的であり、顧客に魅力的なビジネス促進方法を実現できる。
【００３３】
請求項１０記載の発明は、管理サーバが、電子モール内への出店終了後又は設定期間ごとに、落札した事業者端末に対して、電子モールサイト内での顧客端末からのサービス利用成果に応じた電子モールを有する管理サーバへの出店料の支払い請求、及び／又は、落札価格と予め決められた配当条件に基づく、入札懸賞グループの提供者端末への情報料の配当通知を出力するステップと、を含むことを特徴とする。
【００３４】
これによって、請求項８または請求項９に記載の発明に料金管理を行うステップを追加することで、管理サーバは事業者端末に対し、顧客端末からのサービス利用成果に応じた料金の支払いを請求することができ、及び／又は、懸賞の提供者端末に対し、落札価格と予め決められた配当条件に基づく情報料の配当を通知することができる。このため、出店事業者にもサイト管理者にも負担が合理的であり、顧客に魅力的なビジネス促進方法を実現できる。
【００３５】
請求項１１記載の発明は、入札懸賞グループ設定後、入札懸賞グループ情報を複数の事業者端末に提供分担金募集情報として通知するステップを含むことを特徴とする。これによって、設定された入札懸賞グループ情報を複数の事業者端末に提供分担金募集情報として発信することができ、事業者端末はこれに応じるか否かを選択できる。このため、出店事業者にもサイト管理者にも負担が合理的であり、顧客に魅力的なビジネス促進方法を実現できる。
【００３６】
請求項１２記載の発明は、電子モールを有する管理サーバが、懸賞提供情報を受信するステップの前に、懸賞入札販売の受付情報を複数の提供者端末へ出力するステップを含むことを特徴とする。
【００３７】
これによって、入札懸賞グループ登録管理処理手段が受付情報を提供者端末に通知するため、提供者端末は確実に管理サーバに懸賞入札販売情報が送信されたことを確認できる。このため、出店事業者にもサイト管理者にも負担が合理的であり、顧客に魅力的なビジネス促進方法を実現できる。
【００３８】
請求項１３記載の発明は、予め設定された条件で事業者端末からの入札を締切り、入札分担金情報の総額を計算し、総額が入札懸賞グループ情報の価格を超えた場合、懸賞の提供者端末へ結果を出力し、懸賞の登録を指示するステップにおいて、入札分担金情報の総額が懸賞定価総額を超えた場合に、懸賞定価総額からの超過分を入札した事業者の分担金負担割合により減額処理を行うことを特徴とする。
【００３９】
これによって、入札分担金情報の総額が懸賞定価総額を超えた場合に、懸賞定価総額からの超過分を入札した事業者の分担金負担割合により減額処理を行うことができる。このため、出店事業者にもサイト管理者にも負担が合理的であり、顧客に魅力的なビジネス促進方法を実現できる。
【００４０】
請求項１４記載の発明は、顧客端末からの懸賞希望問合せに応じた懸賞受付窓口サイトを落札した事業者に割り当てる電子モールサイトへリンク設定するステップが、電子モールサイトにリンクされる頻度を入札分担金による負担割合により決定することを特徴とする。
【００４１】
これによって、顧客端末からの懸賞希望者問合せに応じる懸賞受付窓口サイトを、落札した事業者に割り当てる電子モールサイトにリンクされる頻度を、事業者が負担する入札分担金の負担割合により決定することができる。このため、出店事業者にもサイト管理者にも負担が合理的であり、顧客に魅力的なビジネス促進方法を実現できる。
【００４２】
なお、上述の請求項１乃至１４に記載の発明は、後述の第１実施形態に対応する。
【００４３】
請求項１５記載の発明は、懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進システムであって、管理サーバは、提供者端末からの懸賞入札販売情報を受信し、事業者端末からの入札分担金情報を受信し、予め設定された条件で事業者端末からの入札を締切り、入札分担金情報の総額を計算し、総額が懸賞入札販売情報の価格を超えた場合、懸賞の提供者端末へ結果を出力し、懸賞の登録指示を行う懸賞入札管理処理手段と、懸賞を懸賞提供情報として登録する懸賞提供情報登録処理手段と、事業者端末からの電子モールサイトのモール内出店を許可し、出店モールサービスを開始し、予め設定された条件に基づき事業者端末への出店モールサービスの閉店を予告した後、閉店を通知し、事業者の電子モール内への出店終了を行う出店管理処理手段と、を有することを特徴とする。
【００４４】
これによって、提供者端末から入力された懸賞入札販売情報を管理サーバが受信し、順次登録する。そして、管理サーバは、懸賞提供情報に応じた１又は複数の事業者端末からの入札分担金情報を受信し、予め設定された条件で締切り、入札分担金の総額を計算できる。その後、管理サーバは事業者端末からの電子モール内での出店を許可し、出店モールサービスを開始でき、事業者によって予め設定された条件に到達すると、閉店を予告し、その後、閉店を通知し、出店終了とすることができる。このため、出店事業者にもサイト管理者にも負担が合理的であり、顧客に魅力的なビジネス促進システムを実現できる。
【００４５】
請求項１６記載の発明は、懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進システムであって、管理サーバは、提供者端末からの懸賞入札販売情報を受信し、事業者端末からの入札分担金情報を受信し、予め設定された条件で事業者端末からの入札を締切り、入札分担金情報の総額を計算し、総額が懸賞入札販売情報の価格を超えた場合、懸賞の提供者端末へ結果を出力し、懸賞の登録指示を行う懸賞入札管理処理手段と、懸賞を懸賞提供情報として登録する懸賞提供情報登録処理手段と、顧客端末からの懸賞希望問合せに応じた懸賞受付窓口サイトを落札した事業者に割り当てる電子モールサイトへリンク設定するリンク設定管理処理手段と、管理サーバがリンク設定と同時または相前後して、事業者端末からの電子モールサイトのモール内出店を許可し、出店モールサービスを開始し、予め設定された条件に基づき事業者端末への出店モールサービスの閉店を予告した後、閉店を通知し、事業者の電子モール内への出店終了を行う出店管理処理手段と、を有することを特徴とする。
【００４６】
これによって、提供者端末から入力された懸賞入札販売情報を管理サーバが受信し、順次登録する。そして、管理サーバは、懸賞提供情報に応じた１又は複数の事業者端末からの入札分担金情報を受信し、予め設定された条件で締切り、入札分担金の総額を計算でき、顧客端末からの懸賞希望者問合せに応じる懸賞受付窓口サイトを、落札した事業者に割り当てる電子モールサイトへリンク設定する。リンク設定と同時または相前後して、管理サーバは事業者端末からの電子モール内での出店を許可し、出店モールサービスを開始でき、事業者によって予め設定された条件に到達すると、閉店を予告し、その後、閉店を通知し、出店終了とすることができる。このため、出店事業者にもサイト管理者にも負担が合理的であり、顧客に魅力的なビジネス促進システムを実現できる。
【００４７】
請求項１７記載の発明は、管理サーバが、電子モール内への出店終了後又は設定期間ごとに、落札した事業者端末に対して、電子モールサイト内での顧客端末からのサービス利用成果に応じた電子モールを有する管理サーバへの出店料の支払い請求、及び／又は、落札価格と予め決められた配当条件に基づく、懸賞の提供者端末への情報料の配当通知を出力する料金管理処理手段を含むことを特徴とする。
【００４８】
これによって、請求項１５または請求項１６に記載の発明に料金管理を行う手段を追加することで、管理サーバは事業者端末に対し、顧客端末からのサービス利用成果に応じた料金の支払いを請求することができ、及び／又は、懸賞の提供者端末に対し、落札価格と予め決められた配当条件に基づく情報料の配当を通知することができる。このため、出店事業者にもサイト管理者にも負担が合理的であり、顧客に魅力的なビジネス促進システムを実現できる。
【００４９】
請求項１８記載の発明は、懸賞入札管理処理手段が、複数の事業者端末に提供分担金募集情報を発信する提供分担金募集情報通知手段を含むことを特徴とする。
【００５０】
これによって、懸賞入札管理処理手段は、設定された懸賞入札販売情報を複数の事業者端末に提供分担金募集情報として発信することができ、事業者端末はこれに応じるか否かを選択できる。このため、出店事業者にもサイト管理者にも負担が合理的であり、顧客に魅力的なビジネス促進システムを実現できる。
【００５１】
請求項１９記載の発明は、懸賞入札管理処理手段が、入札分担金情報の総額が懸賞定価総額を超えた場合に、懸賞定価総額からの超過分を入札した事業者の分担金負担割合により減額処理を行うことを特徴とする。
【００５２】
これによって、懸賞入札管理処理手段が、入札分担金情報の総額が懸賞定価総額を超えた場合に、懸賞定価総額からの超過分を入札した事業者の分担金負担割合により減額処理を行うことができる。このため、出店事業者にもサイト管理者にも負担が合理的であり、顧客に魅力的なビジネス促進システムを実現できる。
【００５３】
請求項２０記載の発明は、リンク設定管理処理手段が、電子モールサイトにリンクされる頻度を入札分担金による負担割合により決定することを特徴とする。
【００５４】
これによって、リンク設定管理処理手段は、顧客端末からの懸賞希望者問合せに応じる懸賞受付窓口サイトを、落札した事業者に割り当てる電子モールサイトにリンクされる頻度を、事業者が負担する入札分担金の負担割合により決定することができる。このため、出店事業者にもサイト管理者にも負担が合理的であり、顧客に魅力的なビジネス促進システムを実現できる。
【００５５】
請求項２１記載の発明は、懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進方法であって、提供者端末からの懸賞入札販売情報を電子モールを有する管理サーバが受信するステップと、事業者端末からの入札分担金情報を管理サーバが受信するステップと、予め設定された条件で事業者端末からの入札を締切り、入札分担金情報の総額を計算し、総額が懸賞入札販売情報の価格を超えた場合、懸賞の提供者端末へ結果を出力し、懸賞の登録を指示するステップと、懸賞を懸賞提供情報として登録するステップと、事業者端末からの電子モールサイトのモール内出店を許可し、出店モールサービスを開始するステップと、管理サーバが予め設定された条件に基づき事業者端末への出店モールサービスの閉店を予告した後、閉店を通知し、事業者の電子モール内への出店終了を行うステップと、を有することを特徴とする。
【００５６】
これによって、提供者端末から入力された懸賞入札販売情報を管理サーバが受信し、順次登録する。そして、管理サーバは、懸賞入札販売情報に応じた１又は複数の事業者端末からの入札分担金情報を受信し、予め設定された条件で締切り、入札分担金の総額を計算できる。その後、管理サーバは事業者端末からの電子モール内での出店を許可し、出店モールサービスを開始でき、事業者によって予め設定された条件に到達すると、閉店を予告し、その後、閉店を通知し、出店終了とすることができる。このため、出店事業者にもサイト管理者にも負担が合理的であり、顧客に魅力的なビジネス促進方法を実現できる。
【００５７】
請求項２２記載の発明は、懸賞の提供者端末と、懸賞提供情報による集客を利用する事業者端末と、その懸賞提供情報を利用する顧客端末と、電子モールを有する管理サーバとを含むコンピュータシステムにより、取引を促進する懸賞提供情報を利用したビジネス促進方法であって、提供者端末からの懸賞入札販売情報を電子モールを有する管理サーバが受信するステップと、事業者端末からの入札分担金情報を管理サーバが受信するステップと、予め設定された条件で事業者端末からの入札を締切り、入札分担金情報の総額を計算し、総額が懸賞入札販売情報の価格を超えた場合、懸賞の提供者端末へ結果を出力し、懸賞の登録を指示するステップと、懸賞を懸賞提供情報として登録するステップと、顧客端末からの懸賞希望問合せに応じた懸賞受付窓口サイトを落札した事業者に割り当てる電子モールサイトへリンク設定するステップと、管理サーバがリンク設定または相前後して、事業者端末からの電子モールサイトのモール内出店を許可し、出店モールサービスを開始するステップと、管理サーバが予め設定された条件に基づき事業者端末への出店モールサービスの閉店を予告した後、閉店を通知し、事業者の電子モール内への出店終了を行うステップと、を有することを特徴とする。
【００５８】
これによって、提供者端末から入力された懸賞入札販売情報を管理サーバが受信し、登録する。そして、管理サーバは、懸賞入札販売情報に応じた１又は複数の事業者端末からの入札分担金情報を受信し、予め設定された条件で締切り、入札分担金の総額を計算でき、顧客端末からの懸賞希望者問合せに応じる懸賞受付窓口サイトを、落札した事業者に割り当てる電子モールサイトへリンク設定する。リンク設定と同時または相前後して、管理サーバは事業者端末からの電子モール内での出店を許可し、出店モールサービスを開始でき、事業者によって予め設定された条件に到達すると、閉店を予告し、その後、閉店を通知し、出店終了とすることができる。このため、出店事業者にもサイト管理者にも負担が合理的であり、顧客に魅力的なビジネス促進方法を実現できる。
【００５９】
請求項２３記載の発明は、管理サーバが、電子モール内への出店終了後又は設定期間ごとに、落札した事業者端末に対して、電子モールサイト内での顧客端末からのサービス利用成果に応じた電子モールを有する管理サーバへの出店料の支払い請求、及び／又は、落札価格と予め決められた配当条件に基づく、懸賞の提供者端末への情報料の配当通知を出力するステップと、を含むことを特徴とする。
【００６０】
これによって、請求項２１または請求項２２に記載の発明に料金管理を行うステップを追加することで、管理サーバは事業者端末に対し、顧客端末からのサービス利用成果に応じた料金の支払いを請求することができ、及び／又は、懸賞の提供者端末に対し、落札価格と予め決められた配当条件に基づく情報料の配当を通知することができる。このため、出店事業者にもサイト管理者にも負担が合理的であり、顧客に魅力的なビジネス促進方法を実現できる。
【００６１】
請求項２４記載の発明は、懸賞入札販売情報を電子モールを有する管理サーバが受信後、懸賞入札販売情報を複数の事業者端末に提供分担金募集情報として通知するステップを含むことを特徴とする。
【００６２】
これによって、懸賞入札販売情報を複数の事業者端末に入札分担金募集情報として発信することができ、事業者端末はこれに応じるか否かを選択できる。このため、出店事業者にもサイト管理者にも負担が合理的であり、顧客に魅力的なビジネス促進方法を実現できる。
【００６３】
請求項２５記載の発明は、予め設定された条件で事業者端末からの入札を締切り、入札分担金情報の総額を計算し、総額が懸賞入札販売情報の価格を超えた場合、懸賞の提供者端末へ結果を出力し、懸賞の登録を指示するステップにおいて、入札分担金情報の総額が懸賞定価総額を超えた場合に、懸賞定価総額からの超過分を入札した事業者の分担金負担割合により減額処理を行うことを特徴とする。
【００６４】
これによって、入札分担金情報の総額が懸賞定価総額を超えた場合に、懸賞定価総額からの超過分を入札した事業者の分担金負担割合により減額処理を行うことができる。このため、出店事業者にもサイト管理者にも負担が合理的であり、顧客に魅力的なビジネス促進方法を実現できる。
【００６５】
請求項２６記載の発明は、顧客端末からの懸賞希望問合せに応じた懸賞受付窓口サイトを落札した事業者に割り当てる電子モールサイトへリンク設定するステップが、電子モールサイトにリンクされる頻度を入札分担金による負担割合により決定することを特徴とする。
【００６６】
これによって、顧客端末からの懸賞希望者問合せに応じる懸賞受付窓口サイトを、落札した事業者に割り当てる電子モールサイトにリンクされる頻度を、事業者が負担する入札分担金の負担割合により決定することができる。このため、出店事業者にもサイト管理者にも負担が合理的であり、顧客に魅力的なビジネス促進方法を実現できる。
【００６７】
なお、上述の請求項１５乃至２６に記載の発明は、後述の第２実施形態に対応する。
【発明の効果】
【００６８】
本発明の懸賞提供情報を利用したビジネス促進システムまたは方法によると、ウェブサイト上に掲載された魅力的な懸賞を多くの顧客が選択することにより、多数の顧客がその懸賞を提供した事業者等のウェブサイトに誘導される。その結果、その事業者のウェブサイトは顧客から閲覧される機会が増え、事業者のビジネス促進効果が高まる。また、出店事業者にもサイト管理者にも負担が合理的であるビジネス促進システムまたは方法を実現できる。
【発明を実施するための最良の形態】
【００６９】
以下本発明の実施形態を図面を参照しつつ詳細に説明する。なお、以下に記載する実施形態で、景品を扱う場合の例を記載しているが、景品とは、懸賞で定義される中の１例をここでは示しており、サービスや賞金に置き換え適用することもできる。この場合、サービスや賞金を扱う機能を明示したいのであれば、各構成の処理部と記憶部の各名称中の景品の語を、サービスや賞金に置き換えて明示することができる。また、景品、サービス、賞金のいずれかまたはいくつかを扱う機能を明確とするには、各構成の処理部と記憶部の各名称中の景品の語を、懸賞とすることが望ましい。
【００７０】
また、以下の各実施形態で示す懸賞提供情報登録処理手段が、懸賞提供情報を登録した場合、懸賞は懸賞受付窓口サイト又は事業者に割り当てる電子モールサイトに掲示される。
【００７１】
（第１実施形態）
まず、第１実施形態について図１乃至図９を参照して説明する。図１は、第１実施形態のシステム構成図であり、これに基づいて、システム構成例の概要を説明する。懸賞提供情報を利用したビジネス促進システムは、懸賞提供情報による集客を利用する事業者の事業者端末１０と、その懸賞提供情報を利用する顧客の顧客端末３０（これは顧客携帯端末３１であってもよい。）と懸賞を提供する提供者端末６０とが、電子モールの管理者の管理サーバ２０にインターネット等のネットワーク５０で相互通信可能に接続されるシステムである。なお、懸賞は提供者端末６０だけでなく、管理サーバ２０もまた提供することができる。
【００７２】
ここでの管理サーバ２０は、
（１）住所、氏名、電話番号、電子メールアドレス等の顧客情報を登録する顧客管理処理手段Ｍ１００と、
（２）提供者端末６０からの懸賞入札販売情報を受信し、懸賞入札販売情報の登録を順次行い、予め設定された条件で懸賞入札販売情報の受付条件をもって締め切り、登録された懸賞入札販売情報を入札懸賞グループ情報として設定し、記憶する入札懸賞グループ登録管理処理手段Ｍ１０１と、
（３）入札懸賞グループ情報を受取った事業者端末１０からの入札分担金情報を受信し、予め設定された条件で事業者端末１０からの入札を締切り、入札分担金情報の総額を計算し、総額が入札懸賞グループ情報の価格を超えた場合、懸賞の提供者端末６０へ結果を出力し、入札懸賞グループ情報内の懸賞の登録指示を行う懸賞グループ入札管理処理手段Ｍ１０２と、
（４）懸賞を懸賞提供情報として登録する懸賞提供情報登録処理手段Ｍ１０３と、
（５）顧客端末３０からの懸賞希望者問合せに応じる懸賞受付窓口サイトを、落札した事業者に割り当てる電子モールサイトへリンク設定するリンク設定管理処理手段Ｍ１０４と、
（６）リンク設定と同時または相前後して、事業者端末１０からの電子モールサイトのモール内出店を許可し、出店モールサービスを開始し、予め設定された条件に基づき事業者端末１０への出店モールサービスの閉店を予告した後、閉店を通知し、事業者の電子モール内への出店終了を行う出店管理処理手段Ｍ１０５と、
（７）電子モール内への出店終了後または設定期間ごとに、落札した事業者端末１０に対して、電子モールサイト内での顧客端末３０からのサービス利用成果に応じた電子モールを有する管理サーバへの出店料の支払い請求、及び／又は、落札価格と予め決められた配当条件に基づく、情報料の配当通知を出力する料金管理処理手段Ｍ１０６と、
それぞれの手段Ｍ１００，Ｍ１０１，Ｍ１０２，Ｍ１０３，Ｍ１０４，Ｍ１０５，Ｍ１０６に対応するデータベースＤ１００，Ｄ１０１，Ｄ１０２，Ｄ１０３，Ｄ１０４，Ｄ１０５，Ｄ１０６を有している。ここでデータベースＤ１００，Ｄ１０１，Ｄ１０２，Ｄ１０３，Ｄ１０４，Ｄ１０５，Ｄ１０６は、それぞれの手段Ｍ１００，Ｍ１０１，Ｍ１０２，Ｍ１０３、Ｍ１０４，Ｍ１０５，Ｍ１０６と、ここでは便宜上分離して示したが、手段内の一要素とすることも出来る。
【００７３】
次に、上記の各手段とそのデータベースの構成をその作用とともに順次説明する。
【００７４】
図２は、管理サーバ２０内の顧客管理処理手段Ｍ１００とそのデータベースＤ１００、入札懸賞グループ登録管理処理手段Ｍ１０１とそのデータベースＤ１０１の構成を示す構成図である。
【００７５】
まず、入札景品募集管理処理部ｍ１０１０１は、提供者端末６０に対し、入札景品情報募集出力Ｏ１０００３を出力し、入札景品募集管理情報記憶部ｄ１０１０１に記憶する。これにより、管理サーバ２０は、提供者端末６０に対し、競売用の景品提供の募集を呼びかける。この景品提供の募集期間は、入札募集タイム管理処理部ｍ１０１０３により管理される。なお、募集期間は入札募集タイム管理情報記憶部ｄ１０１０３に予め記憶されている。
【００７６】
入札景品受付管理処理部ｍ１０１０５は、提供者端末６０からの入札景品情報入力Ｉ１０００１を受付け、これを入札景品受付管理情報記憶部ｄ１０１０５に記憶する。
【００７７】
この入札景品情報は、入札景品審査管理処理部ｍ１０１０７により、入札景品審査管理情報記憶部ｄ１０１０７に予め登録されている審査データを参照して、登録するにふさわしいかを判定する。
【００７８】
提供者端末６０から入力された提供景品情報がふさわしくない場合、入札景品審査管理処理部ｍ１０１０７は、入札景品登録不可出力Ｏ１０００１を競売用の景品を提供する提供者端末６０に送る。一方で、提供者端末６０から入力された入札景品情報がふさわしい場合、入札景品登録管理処理部ｍ１０１０９は、その景品の登録処理を行い、入札景品登録管理情報記憶部ｄ１０１０９に記憶する。
【００７９】
景品登録積算管理処理部ｍ１０１１１は、入札景品登録管理情報記憶部ｄ１０１０９に記憶された入札景品情報を積算し、景品登録積算管理情報記憶部ｄ１０１１１に記憶する。
【００８０】
景品登録積算管理情報記憶部ｄ１０１１１に記憶された景品の積算結果が、景品募集管理情報記憶部ｄ１０１１３に予め設定された条件（懸賞提供数または受付期限）に到達すると、景品募集管理処理部ｍ１０１１３は、入札景品受付締切出力Ｏ１０００５を出力し、提供者端末６０からの入札景品情報の受付けを締め切る。
【００８１】
景品グループ登録管理処理部ｍ１０１１５は、入札景品登録管理情報記憶部ｄ１０１０９に記憶された景品の登録データを、予め設定された条件に基づいて景品をグループ化し、景品グループ登録管理情報記憶部ｄ１０１１５に記憶する。
【００８２】
景品グループ最低価格総額管理処理部ｍ１０１１７は、グループ化され、登録された景品の価格の総額を算出し、景品グループ最低価格総額として、景品グループ最低価格総額管理情報記憶部ｄ１０１１７に記憶する。
【００８３】
景品グループ登録解除指示受付管理処理部ｍ１０１２１は、景品グループ登録解除指示信号を受付けた場合、それを景品グループ登録解除指示受付管理情報記憶部ｄ１０１２１に記憶し、景品グループ登録解除管理処理部ｍ１０１２３が、入札参加中止登録解除出力Ｏ１０００７を出力し、その特定された景品グループの解除を行い、この状況を景品グループ登録解除管理情報記憶部ｄ１０１２３に記憶する。
【００８４】
景品グループ入札指示管理処理部ｍ１０１１９は、景品グループ最低価格総額管理処理部ｍ１０１１７の処理完了信号を受けて、景品グループ入札指示信号を、景品グループ入札指示管理情報記憶部ｄ１０１１９に記憶するとともに、この信号を次の懸賞グループ入札管理処理手段Ｍ１０２に出力する。
【００８５】
図３は、懸賞グループ入札管理処理手段Ｍ１０２とそのデータベースＤ１０２の構成を示す構成図である。
【００８６】
景品グループ入札指示管理処理部ｍ１０１１９から景品グループ入札指示信号を景品グループ入札指示受付管理処理部ｍ１０２０１が受けて、これを景品グループ入札指示受付管理情報記憶部ｄ１０２０１に記憶する。
【００８７】
入札参加情報管理処理部ｍ１０２０３は、事業者端末１０宛に入札を呼びかける入札参加情報出力Ｏ１０００９を出力し、その入札参加情報を入札参加情報管理情報記憶部ｄ１０２０３に記憶する。事業者が入札に参加できる時間は入札参加タイム管理処理部ｍ１０２０５で管理される。なお、入札に参加できる時間は入札参加タイム管理情報記憶部ｄ１０２０５に記憶されている。
【００８８】
入札に際し、入札に必要な価格の一部を負担する意思がある事業者は、入札参加時間内に事業者端末１０から入札分担金申込入力Ｉ１０００３を送出し、これを入札分担金申込情報受信管理処理部ｍ１０２０７が受付け、入札分担金申込情報受信管理情報記憶部ｄ１０２０７に記憶する。そして、入札分担金申込情報登録管理処理部ｍ１０２０９は、入札分担金の申込みがあった事業者を登録し、入札分担金申込情報登録管理情報記憶部ｄ１０２０９に記憶する。さらに、入札分担金申込情報積算管理処理部ｍ１０２１１は、入札分担金申込情報登録管理情報記憶部ｄ１０２０９に記憶された事業者を積算し、入札分担金申込情報積算管理情報記憶部ｄ１０２１１に記憶する。
入札分担金総額計算管理処理部ｍ１０２１３は、各事業者端末から入力された入札分担金の総額を算出し、入札分担金総額計算管理情報記憶部ｄ１０２１３に記憶する。
【００８９】
入札審査情報登録管理処理部ｍ１０２２１は、予め管理者によって登録される、景品の審査情報を処理し、入札審査情報登録管理情報記憶部ｄ１０２２１に記憶する。
入札管理処理部ｍ１０２１５は、事業者端末１０からの入札分担申込情報の積算処理が終了すると、開札処理を行い、開札処理情報を入札管理情報記憶部ｄ１０２１５に記憶する。
【００９０】
入札審査管理処理部ｍ１０２１７は、入札審査情報登録管理情報記憶部ｄ１０２２１に記憶された審査情報に基づき、開札結果情報を作成し、それを入札結果情報出力Ｏ１００１１として、提供者端末６０及び１または複数の事業者端末１０宛に出力し、その状況を入札審査管理情報記憶部ｄ１０２１７に記憶する。
【００９１】
入札分担金調整管理処理部ｍ１０２１９は、入札分担金総額計算管理情報記憶部ｄ１０２１３に記憶された入札分担金の総額から、入札懸賞グループ登録管理処理手段Ｍ１０１の景品グループ最低価格総額管理情報記憶部ｄ１０１１７に記憶された景品グループ最低価格総額を比較する。比較した結果、入札分担金の総額が景品グループ最低価格総額以上である場合、入札分担金調整管理処理部ｍ１０２１９は、入札分担金の総額と景品グループ最低価格総額の差額を各事業者の入札分担金の割合に応じて、事業者端末１０に返却する。一方で、比較した結果、入札分担金の総額が景品グループ最低価格総額未満である場合、入札分担金調整管理処理部ｍ１０２１９は、入札分担金の総額と景品グループ最低価格総額の差額を各提供者の提供分の割合に応じて、提供者端末６０に返却する。
【００９２】
入札分担金ランキング管理処理部ｍ１０２２３は、入札分担金の多い順に事業者と入札分担金を表示し、その結果を入札分担金ランキング管理情報記憶部ｄ１０２２３に記憶する。
【００９３】
落札景品懸賞登録指示管理処理部ｍ１０２２７は、入札審査管理処理部ｍ１０２１７の入札審査登録処理完了信号を受けて、落札景品懸賞指示信号を、落札景品懸賞登録指示管理情報記憶部ｄ１０２２７に記憶するとともに、この信号を次の懸賞提供情報登録処理手段Ｍ１０３に出力する。
【００９４】
図４は、懸賞提供情報登録処理手段Ｍ１０３とそのデータベースＤ１０３の構成を示す構成図である。
【００９５】
落札景品懸賞登録指示管理処理部ｍ１０２２７から落札景品懸賞登録指示信号を落札景品懸賞登録指示受付管理処理部ｍ１０３０１が受けて、これを落札景品懸賞登録指示受付管理情報記憶部ｄ１０３０１に記憶する。さらに、懸賞景品登録管理処理部ｍ１０３０３は、景品グループ懸賞を懸賞景品登録管理情報記憶部ｄ１０３０３に記憶する。これにより、提供者端末６０から提供され、グループ化された景品情報が管理サーバ２０内に登録される。
【００９６】
景品在庫管理処理部ｍ１０３０５は、グループ化された景品の在庫状況を、景品在庫管理情報記憶部ｄ１０３０５に記憶し、残数管理を行う。景品利用期限管理処理部ｍ１０３０７は、グループ化された景品の利用期限を景品利用期限管理情報記憶部ｄ１０３０７に記憶し、その管理を行う。
【００９７】
連続出店指示管理処理部ｍ１０３０９は、グループ化された景品の在庫と利用期限の状況を参照して、連続出店指示出力Ｏ１００１３を事業者端末１０に発信するとともに、連続出店指示管理情報記憶部ｄ１０３０９に記憶する。なお、連続出店指示とは景品の在庫が切れたり、提供者端末６０から登録され、グループ化された景品の利用期限が切れた場合に、引き続き（連続して）事業者が管理サーバ２０に景品情報を掲載するか否かの判断を求める指示である。
【００９８】
落札事業者リンク指示管理処理部ｍ１０３１１は、懸賞景品登録管理処理部ｍ１０３０３の懸賞景品登録処理完了信号を受けて、リンク設定指示信号を、落札事業者リンク指示管理情報記憶部ｄ１０３１１に記憶するとともに、この信号を次のリンク設定管理処理手段Ｍ１０４に出力する。
【００９９】
図５は、リンク設定管理処理手段Ｍ１０４とそのデータベースＤ１０４の構成を示す構成図である。
【０１００】
事業者サイト情報登録管理処理部ｍ１０４０１は、懸賞を落札した事業者端末１０からの事業者サイト情報入力Ｉ１０００５を受けて、事業者サイト情報登録管理情報記憶部ｄ１０４０１に記憶する。落札事業者リンク指示管理処理部ｍ１０３１１からリンク設定指示信号を落札事業者リンク指示受付管理処理部ｍ１０４０３が受けて、これを落札事業者リンク指示受付管理情報記憶部ｄ１０４０３に記憶する。
【０１０１】
リンク設定先検索管理処理部ｍ１０４０５は、該当事業者に割り当てる電子モールサイトをリンク設定先検索管理情報記憶部ｄ１０４０５から検索特定し、顧客端末３０からの懸賞希望者問合せに応じる懸賞受付窓口サイトへリンク設定管理処理部ｍ１０４０７によりリンク設定する。このリンク設定の記憶は、リンク設定管理情報記憶部ｄ１０４０７に記憶される。これにより、顧客端末３０からの懸賞希望問合せに応じる懸賞受付窓口サイトを、落札した事業者に割り当てる電子モールサイトへリンク設定する。
【０１０２】
リンク設定解除指示受付管理処理部ｍ１０４０９は、リンク設定解除指示信号を受付けた場合、それをリンク設定解除指示受付管理情報記憶部ｄ１０４０９に記憶し、リンク設定解除管理処理部ｍ１０４１１が、その特定されたリンクの解除を行い、この状況をリンク設定解除管理情報記憶部ｄ１０４１１に記憶する。リンク設定管理処理部ｍ１０４０７によりリンク設定された後、出店指示管理処理部ｍ１０４１３は、次の出店管理処理手段Ｍ１０５に出店指示信号を送る。なお、ここでの、リンク設定管理処理手段Ｍ１０４に於けるリンク設定は、スタンバイ状態として、出店管理処理手段Ｍ１０５に知らせ、出店管理処理手段Ｍ１０５からのリンク指示を待つものとしてもよい。
【０１０３】
図６は、出店管理処理手段Ｍ１０５とそのデータベースＤ１０５の構成を示す構成図である。
【０１０４】
出店指示管理処理部ｍ１０４１３からの出店管理処理手段Ｍ１０５への出店指示信号を受けて、出店指示受付管理処理部ｍ１０５０１は、これを受付け、出店指示受付管理情報記憶部ｄ１０５０１に記憶する。出店許可管理処理部ｍ１０５０３は、リンク設定後の事業者端末１０からの電子モールサイトのモール内出店許可を処理し、これを出店許可管理情報記憶部ｄ１０５０３に記憶する。これに伴って出店モールサービスが開始される。出店タイム管理処理部ｍ１０５０５は、出店時間の設定、起算、積算を行い、これを出店タイム管理情報記憶部ｄ１０５０５に記憶する。
【０１０５】
分担金ランキング別広告管理処理部ｍ１０５０７は、分担金ランキング別広告管理情報記憶部ｄ１０５０７を参照して、懸賞情報を複数の顧客端末３０に懸賞情報メール出力Ｏ１００１５として送出する。閲覧管理処理部ｍ１０５０９は、顧客端末３０からの事業者サイト内での閲覧または懸賞提供情報問合せの利用を受付け、これを閲覧管理情報記憶部ｄ１０５０９に記憶する。
【０１０６】
注文管理処理部ｍ１０５１１は、顧客端末３０から受けた注文を注文管理情報記憶部ｄ１０５１１に記憶し、商品送付を指令する商品送付出力Ｏ１００１７を送信する。なお、顧客端末３０から受けた注文が不動産広告や求人広告等のサービスに関する問合せに該当する場合、注文管理処理部ｍ１０５１１は、物件情報や面接日等の回答を商品送付出力Ｏ１００１７として送信する。視聴管理処理部ｍ１０５１３は、視聴サービスの要請を受けて、視聴出力指示出力Ｏ１００１９を送信し、この状況を視聴管理情報記憶部ｄ１０５１３に記憶する。
【０１０７】
マーケティング管理処理部ｍ１０５１５は、マーケティング管理情報記憶部ｄ１０５１５と協働で、顧客端末３０に対するアンケートなどのマーケティング参加調査を行い、その結果をマーケティング集計結果出力Ｏ１００２１として送出する。懸賞ゲーム管理処理部ｍ１０５１７は、懸賞用のゲームをこのシステムが設ける場合の懸賞用のゲームの管理を懸賞用のゲーム管理情報記憶部ｄ１０５１７と協働で行う。景品管理処理部ｍ１０５１９は、懸賞提供情報登録処理手段Ｍ１０３で登録された懸賞の管理処理を総合的に司り、景品送付指示出力Ｏ１００２３を出すとともに、この状況を景品管理情報記憶部ｄ１０５１９に記憶する。
【０１０８】
閉店条件管理処理部ｍ１０５２５は、閉店条件管理情報記憶部ｄ１０５２５とともに、予め設定された条件である閉店条件を、総合的に管理する。この実施形態においては、予め設定された条件の一部とされている設定時間経過は、出店タイム管理処理部ｍ１０５０５で、景品在庫の終了については、景品在庫管理処理部ｍ１０３０５と景品在庫管理情報記憶部ｄ１０３０５で行う。
【０１０９】
ページビュウのカウント数（ＰＶＣ）とバナーのクリックのカウント数（ＢＣＣ）については、ＰＶ・ＢＣ設定管理処理部ｍ１０５２１でそれぞれのカウント数を設定し、ＰＶ・ＢＣ設定管理情報記憶部ｄ１０５２１に記憶する。また、ＰＶ・ＢＣ積算管理処理部ｍ１０５２３でこれらをカウントし積算して、ＰＶ・ＢＣ積算管理情報記憶部ｄ１０５２３に記憶する。これらの予め設定された条件は、いずれか１つまたは複数の条件でもよい。
【０１１０】
閉店条件は、図８に基づき後述するように周期的にチェックされる。連続出店管理処理部ｍ１０５２７は、連続出店管理情報記憶部ｄ１０５２７と協働して再提供商品確認出力Ｏ１００２５を該当電子モールサイトの事業者端末１０に出す。閉店指示管理処理部ｍ１０５２９は、出店終了を確認し出店終了出力Ｏ１００２７を送出し、この状況を閉店指示管理情報記憶部ｄ１０５２９に記憶する。これにより、管理サーバ２０は事業者端末１０への出店モールサービスの閉店を予告した後、閉店を通知し、事業者の電子モール内での出店は終了となる。
【０１１１】
事業者の電子モール内での出店が終了すると、リンク設定解除指示管理処理部ｍ１０５３１は、リンク設定管理処理手段Ｍ１０４のリンク設定解除指示受付管理処理部ｍ１０４０９にリンク設定解除指示信号を与え、リンク設定解除指示管理情報記憶部ｄ１０５３１は、この状況を記憶する。リンク設定管理処理手段Ｍ１０４のリンク設定解除管理処理部ｍ１０４１１が、リンク設定を解除する。料金精算指示管理処理部ｍ１０５３３は、料金精算指示管理情報記憶部ｄ１０５３３と協働して、図７の料金管理処理手段Ｍ１０６に料金精算指示信号を与える。なお、料金精算指示管理処理部ｍ１０５３３は、事業者の電子モール内での出店終了後だけでなく、週単位、あるいは１０日などの設定された期間ごとに、図７の料金管理処理手段Ｍ１０６に料金精算指示信号を与えるようにすることができ、それによって期間ごとの精算を確実に行うことも望ましい。
【０１１２】
図７は、料金管理処理手段Ｍ１０６とそのデータベースＤ１０６の構成を示す構成図である。
【０１１３】
料金精算指示管理処理部ｍ１０５３３からの料金精算指示信号を料金精算指示受付管理処理部ｍ１０６０１が受け、これを料金精算指示受付管理情報記憶部ｄ１０６０１に記憶する。それぞれの利用料金は、その性格に応じて、次の各管理処理部で行われる。
【０１１４】
広告売上げ代金は、事業者別広告売上代金積算管理処理部ｍ１０６０３で処理され、事業者別広告売上代金積算管理情報記憶部ｄ１０６０３に記憶される。注文売上げ代金は、事業者別注文売上代金積算管理処理部ｍ１０６０５で処理され、事業者別注文売上代金積算管理情報記憶部ｄ１０６０５に記憶される。閲覧売上げ代金は、事業者別閲覧売上代金積算管理処理部ｍ１０６０７で処理され、事業者別閲覧売上代金積算管理情報記憶部ｄ１０６０７に記憶される。マーケティング利用代金は、事業者別マーケティング利用代金積算管理処理部ｍ１０６０９で処理され、事業者別マーケティング利用代金積算管理情報記憶部ｄ１０６０９に記憶される。
【０１１５】
各事業者サイトの売上げは、事業者別サイト売上合計管理処理部ｍ１０６１１で処理され、事業者別サイト売上合計管理情報記憶部ｄ１０６１１に記憶される。各事業者の出店料は、上記の該当する処理部と情報記憶部から事業者別出店料計算管理処理部ｍ１０６１３で計算され、事業者別出店料計算管理情報記憶部ｄ１０６１３に記憶される。
【０１１６】
事業者別出店料・情報料請求管理処理部ｍ１０６１５は、事業者別出店料・情報料請求出力Ｏ１００２９を該当する事業者端末１０宛に送出する。これは、事業者別出店料・情報料請求管理情報記憶部ｄ１０６１５に記憶される。これにより、事業者が電子モールサイト内での出店を終了させた場合または設定期間ごとに、管理サーバ２０は事業者端末１０に対して、顧客端末３０からのサービス利用成果に応じた出店料及び落札料金の支払請求を行う。具体的には、顧客が電子モール内の懸賞受付窓口サイトに掲載された懸賞をクリックすると、リンク設定された事業者サイトに更新される。事業者サイトのページビュウのカウントやバナークリックのカウントが増加すると、利用成果は増加する。事業者別出店料・情報料入金管理処理部ｍ１０６１７は、事業者端末１０からの入金があった場合、事業者別出店料・情報料金請求管理情報記憶部ｄ１０６１５の記憶と対照し、その結果を、事業者別出店料・情報料入金管理情報記憶部ｄ１０６１７に記憶する。なお、上述した支払請求及び入金確認については、クレジットカード決済や電子マネー決済等の決済手段でも行うことができる。
【０１１７】
事業者別入札分担金管理処理部ｍ１０６１９は、各事業者ごとに入札分担金を管理し、その情報を事業者別入札分担金管理情報記憶部ｄ１０６１９に記憶する。
【０１１８】
グループ入札分担金合計管理処理部ｍ１０６２１は、事業者別入札分担金管理情報記憶部ｄ１０６１９に記憶されたすべての入札分担金を合計し、合計金額を算出する。算出された合計金額は、グループ入札分担金合計管理情報記憶部ｄ１０６２１に記憶される。
【０１１９】
グループ情報料配当計算管理処理部ｍ１０６２３は、グループ情報料合計管理情報記憶部ｄ１０６２１に記憶された合計金額を提供者端末６０によって提供された懸賞の価格の比率に応じた配当料を算出する。算出された配当料は、グループ情報料配当計算管理情報記憶部ｄ１０６２３に記憶される。
【０１２０】
登録別入札料・配当料支払管理処理部ｍ１０６２５は、グループ情報料配当計算管理情報記憶部ｄ１０６２３に記憶された配当料を提供者端末６０ごとに支払情報として管理し、登録別入札料・配当料支払管理情報記憶部ｄ１０６２５に記憶する。
【０１２１】
次に図８の出店モールへの再出店手順を示すフローチャートに基づき、連続出店指示管理処理部ｍ１０３０９と連続出店管理処理部ｍ１０５２７における出店モールへの再出店機能を説明する。
【０１２２】
出店タイム管理処理部ｍ１０５０５から出される間欠的信号に基づき、ステップＳ１で、出店許可確認指示信号を出す。ステップＳ２で、最終景品利用期限が終了しているか否かを判定する。ＮＯ（否）であれば、次のステップＳ４で、ページビューの設定カウント数（設定ＰＶ）またはバナークリックの設定カウント数（設定ＢＣ）が超過しているか否かを判定する。ＮＯ（否）であれば、次のステップＳ５で、景品在庫が終了しているか否かを判定する。ＮＯ（否）であれば、次のステップＳ６で、設定時間が終了しているか否かを判定する。ＮＯ（否）であれば、次のステップＳ７に移行する。ここまでの各ステップのいずれかで、ＹＥＳ（終了・超過）であれば、ステップＳ１０で連続出店条件確認指示信号を出力し、ステップＳ１１で、連続出店用景品登録が完了しているか否かを判定する。ＮＯ（否）であれば、ステップＳ１２で閉店指示を出す。ＹＥＳ（登録完了）であれば、ステップＳ１に戻る。
【０１２３】
ステップＳ７では、設定時間終了まで２４時間あるか否かを判定する。ＮＯ（否）であれば、次のステップＳ８で、設定ＰＶまたは設定ＢＣが８０％超過しているか否かを判定する。ＮＯ（否）であれば、次のステップＳ９で、景品在庫が残り１か否かを判定する。ＮＯ（否）であれば、ステップＳ１に戻る。
【０１２４】
もしステップＳ７，Ｓ８，Ｓ９のいずれかの判定が、ＹＥＳであれば、ステップＳ１３で連続出店確認指示信号を出店している事業者端末１０に送る。また、ステップＳ７，Ｓ８，Ｓ９のいずれかの判定が、ＹＥＳであってもステップＳ１に戻る。これによって、出店している事業者が、連続出店用景品登録を行わない限り、いずれにしてもステップＳ１１の判定はＮＯとなり、ステップＳ１１で、閉店指示が出されることになる。
【０１２５】
上記の出店モールへの再出店機能は、後述する実施形態においても採用されており、この図８に基づく説明は、そのまま後述する実施形態に適用できるものである。
【０１２６】
次に図９の懸賞受付窓口サイト７０と電子モールサイト７２との概念図に基づいて、顧客端末３０からの懸賞希望者問合せに応じる懸賞受付窓口サイト７０を事業者に割り当てる電子モールサイト７２へリンク設定する場合について説明する。図９に示す例では、懸賞提供情報登録処理手段が、懸賞提供情報を登録した場合、懸賞は懸賞受付窓口サイト及び事業者に割り当てる電子モールサイトに掲示される。
【０１２７】
この例では、懸賞受付窓口サイト７０には、事業者端末１０から提供された懸賞提供情報、ここでは景品、ａ、ｂ、ｃ、ｄ、ｅ、ｆ、ｇ、ｈ、ｉが、並んで表示され、この窓口に問い合わせた顧客のクリック信号によって、景品表示、例えばａ、ｂ、ｉとリンクされた各事業者の電子モールサイト７２内のＡ店サイト７４、Ｂ店サイト７６、Ｉ店サイト７８が、表示される。
【０１２８】
また、このリンク設定は必ずしも必要なものではない。例えば、懸賞受付窓口サイト７０が、電子モールサイト７２内にあり、スクロールによってＡ店サイト７４、Ｂ店サイト７６、Ｉ店サイト７８などを訪問できる場合、また、ページ送りによって、Ａ店サイト７４、Ｂ店サイト７６、Ｉ店サイト７８の訪問が可能な場合である。この図９に基づく上記の説明は、後述する実施形態においても適用できるものである。
【０１２９】
（第２実施形態）
次に、第２実施形態について図１０乃至図１５を参照して説明する。図１０は、第２実施形態のシステム構成図であり、これに基づいて、システム構成例の概要を説明する。懸賞提供情報を利用したビジネス促進システムは、懸賞提供情報による集客を利用する事業者の事業者端末１０と、その懸賞提供情報を利用する顧客の顧客端末３０（これは顧客携帯端末３１であってもよい。）と懸賞を提供する提供者端末６０とが、電子モールの管理者の管理サーバ２０にインターネット等のネットワーク５０で相互通信可能に接続されるシステムである。なお、懸賞は提供者端末６０だけでなく、管理サーバ２０もまた提供することができる。
【０１３０】
ここでの管理サーバ２０は、
（１）住所、氏名、電話番号、電子メールアドレス等の顧客情報を登録する顧客管理処理手段Ｍ１１０と、
（２）提供者端末６０からの懸賞入札販売情報を受信し、入札分担金情報を受信し、予め設定された条件で事業者端末からの入札を締切り、入札分担金情報の総額を計算し、総額が懸賞入札販売情報の価格を超えた場合、懸賞の提供者端末６０へ結果を出力し、懸賞の登録指示を行う懸賞入札管理処理手段Ｍ１１１と、
（３）懸賞を懸賞提供情報として登録する懸賞提供情報登録処理手段Ｍ１１２と、
（４）顧客端末３０からの懸賞希望者問合せに応じる懸賞受付窓口サイトを、落札した事業者に割り当てる電子モールサイトへリンク設定するリンク設定管理処理手段Ｍ１１３と、
（５）管理サーバがリンク設定と同時または相前後して、事業者端末１０からの電子モールサイトのモール内出店を許可し、出店モールサービスを開始し、予め設定された条件に基づき事業者端末１０への出店モールサービスの閉店を予告した後、閉店を通知し、事業者の電子モール内への出店終了を行う出店管理処理手段Ｍ１１４と、
（６）電子モール内への出店終了後または設定期間ごとに、事業者端末１０に対しての、電子モールサイト内での顧客端末３０からのサービス利用成果に応じた電子モールを有する管理サーバ２０への出店料の支払い請求、及び／又は、落札価格と予め決められた配当条件に基づく、懸賞の提供者端末６０への情報料の配当通知を出力する料金管理処理手段Ｍ１１５と、
それぞれの手段Ｍ１１０，Ｍ１１１，Ｍ１１２，Ｍ１１３，Ｍ１１４，Ｍ１１５に対応するデータベースＤ１１０，Ｄ１１１，Ｄ１１２，Ｄ１１３，Ｄ１１４，Ｄ１１５を有している。ここでデータベースＤ１１０，Ｄ１１１，Ｄ１１２，Ｄ１１３，Ｄ１１４，Ｄ１１５は、それぞれの手段Ｍ１１０，Ｍ１１１，Ｍ１１２，Ｍ１１３、Ｍ１１４，Ｍ１１５と、ここでは便宜上分離して示したが、手段内の一要素とすることも出来る。
【０１３１】
次に、上記の各手段とそのデータベースの構成をその作用とともに順次説明する。
【０１３２】
図１１は、管理サーバ２０内の顧客管理処理手段Ｍ１１０とそのデータベースＤ１１０、懸賞入札管理処理手段Ｍ１１１とそのデータベースＤ１１１の構成を示す構成図である。
【０１３３】
まず、入札景品受付管理処理部ｍ１１１０１は、提供者端末６０からの入札景品入力Ｉ１１００３を受付け、これを入札景品受付管理情報記憶部ｄ１１１０１に記憶する。
【０１３４】
この入札景品情報は、入札景品審査管理処理部ｍ１１１０３により、入札景品審査管理情報記憶部ｄ１１１０３に予め登録されている審査データを参照して、登録するにふさわしいかを判定する。
【０１３５】
提供者端末６０から入力された入札景品情報がふさわしくない場合、入札景品審査管理処理部ｍ１１１０３は、入札登録不可出力Ｏ１１００５を競売用の景品を提供する提供者端末６０に送る。一方で、提供者端末６０から入力された入札景品情報がふさわしい場合、入札景品登録管理処理部ｍ１１１０５は、その景品の登録処理を行い、入札景品登録管理情報記憶部ｄ１１１０５に記憶する。
【０１３６】
入札参加情報管理処理部ｍ１１１０７は、事業者端末１０宛に入札を呼びかける入札参加情報出力Ｏ１１００１を出力し、その入札参加情報を入札参加情報管理情報記憶部ｄ１１１０７に記憶する。事業者が入札に参加できる時間は入札参加タイム管理処理部ｍ１１１０９で管理される。なお、入札に参加できる時間は入札参加タイム管理情報記憶部ｄ１１１０９に記憶されている。
【０１３７】
入札に際し、入札に必要な価格の一部を負担する意思がある事業者は、入札参加時間内に事業者端末１０から入札分担金申込入力Ｉ１１００１を送出し、これを入札分担金申込情報受信管理処理部ｍ１１１１１が受付け、入札分担金申込情報受信管理情報記憶部ｄ１１１１１に記憶する。そして、入札分担金申込情報登録管理処理部ｍ１１１１３は、入札分担金の申込みがあった事業者を登録し、入札分担金申込情報登録管理情報記憶部ｄ１１１１３に記憶する。さらに、入札分担金申込情報積算管理処理部ｍ１１１１５は、入札分担金申込情報登録管理情報記憶部ｄ１１１１３に記憶された情報を積算し、入札分担金申込情報積算管理情報記憶部ｄ１１１１５に記憶する。
【０１３８】
入札分担金総額計算管理処理部ｍ１１１１７は、各事業者端末１０から入力された入札分担金の総額を算出し、入札分担金総額計算管理情報記憶部ｄ１１１１７に記憶する。
【０１３９】
入札審査情報登録管理処理部ｍ１１１２５は、予め管理者によって登録される、景品の審査情報を処理し、入札審査情報登録管理情報記憶部ｄ１１１２５に記憶する。入札管理処理部ｍ１１１１９は、事業者端末１０からの入札分担申込情報の積算処理が終了すると、開札処理を行い、開札処理情報を入札管理情報記憶部ｄ１１１１９に記憶する。
【０１４０】
入札審査管理処理部ｍ１１１２１は、入札審査情報登録管理情報記憶部ｄ１１１２５に記憶された審査情報に基づき、開札結果情報を作成し、それを入札結果情報出力Ｏ１１００３として、提供者端末６０及び１または複数の事業者端末１０宛に出力し、その状況を入札審査管理情報記憶部ｄ１１１２１に記憶する。
【０１４１】
入札景品登録解除管理処理部ｍ１１１２９は事業者端末１０からの入札が成立しなかった場合、入札中止登録解除出力Ｏ１１００７を送出し、景品登録を解除する。さらに、その内容を入札景品登録解除管理情報記憶部ｄ１１１２９に記憶する。
【０１４２】
落札景品懸賞登録指示管理処理部ｍ１１１３１は、処理完了信号を受けて、落札景品懸賞指示信号を、落札景品懸賞登録指示管理情報記憶部ｄ１１１３１に記憶するとともに、この信号を次の懸賞提供情報登録処理手段Ｍ１１２に出力する。
【０１４３】
図１２は、懸賞提供情報登録処理手段Ｍ１１２とそのデータベースＤ１１２の構成を示す構成図である。
【０１４４】
落札景品懸賞登録指示管理処理部ｍ１１１３１から落札景品懸賞指示信号を落札景品懸賞登録指示受付管理処理部ｍ１１２０１が受けて、これを落札景品懸賞登録指示受付管理情報記憶部ｄ１１２０１に記憶する。さらに、懸賞景品登録管理処理部ｍ１１２０３は、落札した景品懸賞を懸賞景品登録管理情報記憶部ｄ１１２０３に記憶する。これにより、提供者端末６０から提供された景品情報が管理サーバ２０内に登録される。
【０１４５】
景品在庫管理処理部ｍ１１２０５は、景品の在庫状況を、景品在庫管理情報記憶部ｄ１１２０５に記憶し、残数管理を行う。景品利用期限管理処理部ｍ１１２０７は、景品の利用期限を景品利用期限管理情報記憶部ｄ１１２０７に記憶し、その管理を行う。連続出店指示管理処理部ｍ１１２０９は、景品の在庫と利用期限の状況を参照して、連続出店指示出力Ｏ１１００９を事業者端末１０に発信するとともに、連続出店指示管理情報記憶部ｄ１１２０９に記憶する。なお、連続出店指示とは景品の在庫が切れたり、提供者端末６０から登録され、景品の利用期限が切れた場合に、引き続き（連続して）事業者が管理サーバ２０に景品情報を掲載するか否かの判断を求める指示である。
【０１４６】
落札事業者リンク設定指示管理処理部ｍ１１２１１は、懸賞景品登録管理処理部ｍ１１２０３の懸賞景品登録処理完了信号を受けて、リンク設定指示信号を、落札事業者リンク設定指示管理情報記憶部ｄ１１２１１に記憶するとともに、この信号を次のリンク設定管理処理手段Ｍ１１３に出力する。
【０１４７】
図１３は、リンク設定管理処理手段Ｍ１１３とそのデータベースＤ１１３の構成を示す構成図である。
【０１４８】
事業者サイト情報登録管理処理部ｍ１１３０１は、事業者端末１０からの事業者サイト情報入力Ｉ１１００５を受けて、事業者サイト情報登録管理情報記憶部ｄ１１３０１に記憶する。落札事業者リンク設定指示管理処理部ｍ１１２１１からリンク設定指示信号を落札事業者リンク指示受付管理処理部ｍ１１３０３が受けて、これを落札事業者リンク指示受付管理情報記憶部ｄ１１３０３に記憶する。
【０１４９】
リンク設定先検索管理処理部ｍ１１３０５は、該当事業者に割り当てる電子モールサイトをリンク設定先検索管理情報記憶部ｄ１１３０５から検索特定し、顧客端末３０からの懸賞希望者問合せに応じる懸賞受付窓口サイトへリンク設定管理処理部ｍ１１３０７によりリンク設定する。このリンク設定の記憶は、リンク設定管理情報記憶部ｄ１１３０７に記憶される。これにより、顧客端末３０からの懸賞希望問合せに応じる懸賞受付窓口サイトを、事業者に割り当てる電子モールサイトへリンク設定する。
【０１５０】
リンク設定解除指示受付管理処理部ｍ１１３０９は、リンク設定解除指示信号を受付けた場合、それをリンク設定解除指示受付管理情報記憶部ｄ１１３０９に記憶し、リンク設定解除管理処理部ｍ１１３１１が、その特定されたリンクの解除を行い、この状況をリンク設定解除管理情報記憶部ｄ１１３１１に記憶する。リンク設定管理処理部ｍ１１３０７によりリンク設定された後、出店指示管理処理部ｍ１１３１３は、次の出店管理処理手段Ｍ１１４に出店指示信号を送る。なお、ここでの、リンク設定管理処理手段Ｍ１１３に於けるリンク設定は、スタンバイ状態として、出店管理処理手段Ｍ１１４に知らせ、出店管理処理手段Ｍ１１４からのリンク指示を待つものとしてもよい。
【０１５１】
図１４は、出店管理処理手段Ｍ１１４とそのデータベースＤ１１４の構成を示す構成図である。
【０１５２】
出店指示管理処理部ｍ１１３１３からの出店管理処理手段Ｍ１１４への出店指示信号を受けて、出店指示受付管理処理部ｍ１１４０１は、これを受付け、出店指示受付管理情報記憶部ｄ１１４０１に記憶する。出店許可管理処理部ｍ１１４０３は、リンク設定後の事業者端末１０からの電子モールサイトのモール内出店許可を処理し、これを出店許可管理情報記憶部ｄ１１４０３に記憶する。これに伴って出店モールサービスが開始される。出店タイム管理処理部ｍ１１４０５は、出店時間の設定、起算、積算を行い、これを出店タイム管理情報記憶部ｄ１１４０５に記憶する。
【０１５３】
分担金ランキング別広告管理処理部ｍ１１４０７は、分担金ランキング別広告管理情報記憶部ｄ１１４０７を参照して、懸賞提供情報を複数の顧客端末３０に懸賞情報メール出力Ｏ１１０１１として送出する。閲覧管理処理部ｍ１１４０９は、顧客端末３０からの事業者サイト内での閲覧または懸賞提供情報問合せの利用を受付け、これを閲覧管理情報記憶部ｄ１１４０９に記憶する。
【０１５４】
注文管理処理部ｍ１１４１１は、顧客端末３０から受けた注文を注文管理情報記憶部ｄ１１４１１に記憶し、商品送付を指令する商品送付出力Ｏ１１０１３を送信する。なお、顧客端末３０から受けた注文が不動産広告や求人広告等のサービスに関する問合せに該当する場合、注文管理処理部ｍ１１４１１は、物件情報や面接日等の回答を商品送付出力Ｏ１１０１３として送信する。視聴管理処理部ｍ１１４１３は、視聴サービスの要請を受けて、視聴出力指示出力Ｏ１１０１５を送信し、この状況を視聴管理情報記憶部ｄ１１４１３に記憶する。
【０１５５】
マーケティング管理処理部ｍ１１４１５は、マーケティング管理情報記憶部ｄ１１４１５と協働で、顧客端末３０に対するアンケートなどのマーケティング参加調査を行い、その結果をマーケティング集計結果出力Ｏ１１０１７として送出する。懸賞ゲーム管理処理部ｍ１１４１７は、懸賞用のゲームをこのシステムが設ける場合の懸賞用のゲームの管理を懸賞用のゲーム管理情報記憶部ｄ１１４１７と協働で行う。景品管理処理部ｍ１１４１９は、懸賞提供情報登録処理手段Ｍ１１２で登録された懸賞の管理処理を総合的に司り、景品送付指示出力Ｏ１１０１９を出すとともに、この状況を景品管理情報記憶部ｄ１１４１９に記憶する。
【０１５６】
閉店条件管理処理部ｍ１１４２５は、閉店条件管理情報記憶部ｄ１１４２５とともに、予め設定された条件である閉店条件を、総合的に管理する。この実施形態においては、予め設定された条件の一部とされている設定時間経過は、出店タイム管理処理部ｍ１１４０５で、景品在庫の終了については、景品在庫管理処理部ｍ１１２０５と景品在庫管理情報記憶部ｄ１１２０５で行う。
【０１５７】
ページビュウのカウント数（ＰＶＣ）とバナーのクリックのカウント数（ＢＣＣ）については、ＰＶ・ＢＣ設定管理処理部ｍ１１４２１でそれぞれのカウント数を設定し、ＰＶ・ＢＣ設定管理情報記憶部ｄ１１４２１に記憶する。また、ＰＶ・ＢＣ積算管理処理部ｍ１１４２３でこれらをカウントし積算して、ＰＶ・ＢＣ積算管理情報記憶部ｄ１１４２３に記憶する。これらの予め設定された条件は、いずれか１つまたは複数の条件でもよい。
【０１５８】
閉店条件は、図８に基づき上述するように周期的にチェックされる。連続出店管理処理部ｍ１１４２７は、連続出店管理情報記憶部ｄ１１４２７と協働して再提供商品確認出力Ｏ１１０２１を該当電子モールサイトの事業者端末１０に出す。閉店指示管理処理部ｍ１１４２９は、出店終了を確認し出店終了出力Ｏ１１０２３を送出し、この状況を閉店指示管理情報記憶部ｄ１１４２９に記憶する。これにより、管理サーバ２０は事業者端末１０への出店モールサービスの閉店を予告した後、閉店を通知し、事業者の電子モール内での出店は終了となる。
【０１５９】
事業者の電子モール内での出店が終了すると、リンク設定解除指示管理処理部ｍ１１４３１は、リンク設定管理処理手段Ｍ１１３のリンク設定解除指示受付管理処理部ｍ１１３０９にリンク設定解除指示信号を与え、リンク設定解除指示管理情報記憶部ｄ１１４３１は、この状況を記憶する。リンク設定管理処理手段Ｍ１１３のリンク設定解除管理処理部ｍ１１３１１が、リンク設定を解除する。料金精算指示管理処理部ｍ１１４３３は、料金精算指示管理情報記憶部ｄ１１４３３と協働して、図１５の料金管理処理手段Ｍ１１５に料金精算指示信号を与える。なお、料金精算指示管理処理部ｍ１１４３３は、事業者の電子モール内での出店終了後だけでなく、週単位、あるいは１０日などの設定された期間ごとに、図１５の料金管理処理手段Ｍ１１５に料金精算指示信号を与えるようにすることができ、それによって期間ごとの精算を確実に行うことも望ましい。
【０１６０】
図１５は、料金管理処理手段Ｍ１１５とそのデータベースＤ１１５の構成を示す構成図である。
【０１６１】
料金精算指示管理処理部ｍ１１４３３からの料金精算指示信号を料金精算指示受付管理処理部ｍ１１５０１が受け、これを料金精算指示受付管理情報記憶部ｄ１１５０１に記憶する。それぞれの利用料金は、その性格に応じて、次の各管理処理部で行われる。
【０１６２】
広告売上げ代金は、事業者別広告売上代金積算管理処理部ｍ１１５０３で処理され、事業者別広告売上代金積算管理情報記憶部ｄ１１５０３に記憶される。注文売上げ代金は、事業者別注文売上代金積算管理処理部ｍ１１５０５で処理され、事業者別注文売上代金積算管理情報記憶部ｄ１１５０５に記憶される。閲覧売上げ代金は、事業者別閲覧売上代金積算管理処理部ｍ１１５０７で処理され、事業者別閲覧売上代金積算管理情報記憶部ｄ１１５０７に記憶される。マーケティング利用代金は、事業者別マーケティング利用代金積算管理処理部ｍ１１５０９で処理され、事業者別マーケティング利用代金積算管理情報記憶部ｄ１１５０９に記憶される。
【０１６３】
各事業者サイトの売上げは、事業者別サイト売上合計管理処理部ｍ１１５１１で処理され、事業者別サイト売上合計管理情報記憶部ｄ１１５１１に記憶される。各事業者の出店料は、上記の該当する処理部と情報記憶部から事業者別出店料計算管理処理部ｍ１１５１３で計算され、事業者別出店料計算管理情報記憶部ｄ１１５１３に記憶される。
【０１６４】
事業者別出店料・情報料請求管理処理部ｍ１１５１５は、事業者別出店料・情報料請求出力Ｏ１１０２５を該当する事業者端末１０宛に送出する。これは、事業者別出店料・情報料請求管理情報記憶部ｄ１１５１５に記憶される。これにより、事業者が電子モールサイト内での出店を終了させた場合または設定期間ごとに、管理サーバ２０は事業者端末１０に対して、顧客端末３０からのサービス利用成果に応じた出店料及び情報料の支払請求を行う。具体的には、顧客が電子モール内の懸賞受付窓口サイトに掲載された懸賞をクリックすると、リンク設定された事業者サイトに更新される。事業者サイトのページビュウのカウントやバナークリックのカウントが増加すると、利用成果は増加する。事業者別出店料・情報料入金管理処理部ｍ１１５１７は、事業者端末１０からの入金があった場合、事業者別出店料・情報料請求管理情報記憶部ｄ１１５１５の記憶と対照し、その結果を、事業者別出店料・情報料入金管理情報記憶部ｄ１１５１７に記憶する。なお、上述した支払請求及び入金確認については、クレジットカード決済や電子マネー決済等の決済手段でも行うことができる。
【０１６５】
事業者別入札分担金管理処理部ｍ１１５１９は、各事業者ごとに入札分担金を管理し、その情報を事業者別入札分担金管理情報記憶部ｄ１１５１９に記憶する。
【０１６６】
グループ入札分担金合計管理処理部ｍ１１５２１は、事業者別入札分担金管理情報記憶部ｄ１１５１９に記憶されたすべての事業者別入札分担金管理を合計し、合計金額を算出する。算出された合計金額は、グループ入札分担金合計管理情報記憶部ｄ１１５２１に記憶される。
【０１６７】
グループ情報料配当計算管理処理部ｍ１１５２３は、グループ入札分担金合計管理情報記憶部ｄ１１５２１に記憶された合計金額を提供者端末６０によって提供された懸賞の価格の比率に応じた配当料を算出する。算出された配当料は、グループ情報料配当計算管理情報記憶部ｄ１１５２３に記憶される。
【０１６８】
登録別入札料・配当料支払管理処理部ｍ１１５２５は、グループ情報料配当計算管理情報記憶部ｄ１１５２３に記憶された配当料を提供者端末６０ごとに支払情報として管理し、登録別入札料・配当料支払管理情報記憶部ｄ１１５２５に記憶する。
【０１６９】
なお、本発明は、料金管理手段による事業者等に対する出店料の支払請求処理を出店モールサービス終了後としたが、事業者が本システムを使用する時点において支払請求処理を行い、即時決済とする実施形態とすることもできる。さらに、上述した実施形態に限定されるものではなく、その要旨を逸脱しない範囲内で種々変形して実施することが可能である。
【産業上の利用可能性】
【０１７０】
以上のように、本発明による懸賞提供情報を利用したビジネス促進システム及びその方法は、販売促進によって、商品及びサービスの活用を活発化するのに有用であり、特に、電子モール取引に適している。
【図面の簡単な説明】
【０１７１】
【図１】本発明による第１実施形態のシステム構成図である。
【図２】図１の第１実施形態における管理サーバ内の顧客管理処理手段，入札懸賞グループ登録管理処理手段とそれぞれのデータベースの構成を示す構成図である。
【図３】図１の第１実施形態における管理サーバ内の懸賞グループ入札管理処理手段とそのデータベースの構成を示す構成図である。
【図４】図１の第１実施形態における管理サーバ内の懸賞提供情報登録処理手段とそのデータベースの構成を示す構成図である。
【図５】図１の第１実施形態における管理サーバ内のリンク設定管理処理手段とそのデータベースの構成を示す構成図である。
【図６】図１の第１実施形態における管理サーバ内の出店管理処理手段とそのデータベースの構成を示す構成図である。
【図７】図１の第１実施形態における管理サーバ内の料金管理処理手段とそのデータベースの構成を示す構成図である。
【図８】図１の第１実施形態における出店モールへの再出店手順を示すフローチャートである。
【図９】図１の第１実施形態における懸賞受付窓口サイトと電子モールサイトとの概念図である。
【図１０】本発明による第２実施形態のシステム構成図である。
【図１１】図１０の第２実施形態における管理サーバ内の顧客管理処理手段，懸賞入札管理処理手段とそれぞれのデータベースの構成を示す構成図である。
【図１２】図１０の第２実施形態における管理サーバ内の懸賞提供情報登録処理手段とそのデータベースの構成を示す構成図である。
【図１３】図１０の第２実施形態における管理サーバ内のリンク設定管理処理手段とそのデータベースの構成を示す構成図である。
【図１４】図１０の第２実施形態における管理サーバ内の出店管理処理手段とそのデータベースの構成を示す構成図である。
【図１５】図１０の第２実施形態における管理サーバ内の料金管理処理手段とそのデータベースの構成を示す構成図である。
【符号の説明】
【０１７２】
１０  事業者端末、２０  管理サーバ、３０  顧客端末、３１  顧客携帯端末、５０  ネットワーク、６０  提供者端末、Ｍ１００，Ｍ１１０  顧客管理処理手段、Ｍ１０１      入札懸賞グループ登録管理処理手段、Ｍ１０２  懸賞グループ入札管理処理手段、Ｍ１１１  懸賞入札管理処理手段、Ｍ１０３，Ｍ１１２  懸賞提供情報登録処理手段、Ｍ１０４，Ｍ１１３  リンク設定管理処理手段、  Ｍ１０５，Ｍ１１４  出店管理処理手段、Ｍ１０６，Ｍ１１５  料金管理処理手段、Ｄ１００，Ｄ１０１，Ｄ１０２，Ｄ１０３，Ｄ１０４，Ｄ１０５，Ｄ１０６  データベース、Ｄ１１０，Ｄ１１１，Ｄ１１２，Ｄ１１３，Ｄ１１４，Ｄ１１５  データベース。
【図１】
2006163667.tif 000003
【図２】
2006163667.tif 000004
【図３】
2006163667.tif 000005
【図４】
2006163667.tif 000006
【図５】
2006163667.tif 000007
【図６】
2006163667.tif 000008
【図７】
2006163667.tif 000009
【図８】
2006163667.tif 000010
【図９】
2006163667.tif 000011
【図１０】
2006163667.tif 000012
【図１１】
2006163667.tif 000013
【図１２】
2006163667.tif 000014
【図１３】
2006163667.tif 000015
【図１４】
2006163667.tif 000016
【図１５】
2006163667.tif 000017